(57)【特許請求の範囲】
【請求項１】
提示候補となる提示候補情報を取得する取得手段と、
前記取得手段により取得した提示候補情報の特徴情報を生成する生成手段と、
前記生成手段により生成した特徴情報を前記取得した提示候補情報ごとに記憶する記憶手段と、
新たな生成情報の特徴情報を認識する認識手段と、
前記認識手段による認識結果および前記記憶手段に記憶される特徴情報をもとに、前記記憶手段に記憶される特徴情報に対応する提示候補情報のそれぞれに前記新たな生成情報に関連する情報としての提示の優先度を示す順位情報を付与する情報順位付与手段と、
前記提示候補情報を提示するための複数種類の提示装置と、
前記提示装置のそれぞれを利用するユーザの注視点重心および顔方向ベクトルをもとに、前記提示装置のそれぞれについて当該提示装置による前記提示候補情報の提示の優先度を示す順位情報を閲覧者に対する閲覧のしやすさの度合いに基づいて付与する装置順位付与手段と、
前記情報順位付与手段により付与された順位が高い提示候補情報が前記装置順位付与手段により付与された順位の高い提示装置により提示されるように、前記提示候補情報のそれぞれについて当該情報を提示する提示装置を割り当てる割り当て手段と
を備えたことを特徴とする情報自動編成提示装置。
【請求項２】
前記装置順位付与手段は、
前記それぞれの提示装置における提示部分の位置情報や大きさをもとに前記提示装置のそれぞれについて前記順位情報を付与する
ことを特徴とする請求項１に記載の情報自動編成提示装置。
【請求項３】
前記認識手段により認識する新たな生成情報は新たに生成された文書情報である
ことを特徴とする請求項１に記載の情報自動編成提示装置。
【請求項４】
前記認識手段により認識する新たな生成情報は新たな発話情報である
ことを特徴とする請求項１に記載の情報自動編成提示装置。
【請求項５】
前記生成手段により生成する前記提示候補情報の特徴情報には当該提示候補情報の生成に関わる人物の情報が含まれ、
前記認識手段により認識する新たな生成情報の特徴情報には当該生成情報の生成に関わる人物の情報が含まれる
ことを特徴とする請求項１に記載の情報自動編成提示装置。
【請求項６】
記憶装置および提示候補となる提示候補情報を提示するための複数種類の提示装置を備えたコンピュータを、
前記提示候補情報を取得する取得手段、
前記取得手段により取得した提示候補情報の特徴情報を生成する生成手段、
前記生成手段により生成した特徴情報を前記取得した提示候補情報ごとに前記記憶装置に記憶する記憶制御手段、
新たな生成情報の特徴情報を認識する認識手段、
前記認識手段による認識結果および前記記憶装置に記憶される特徴情報をもとに、前記記憶装置に記憶される特徴情報に対応する提示候補情報のそれぞれに前記新たな生成情報に関連する情報としての提示の優先度を示す順位情報を付与する情報順位付与手段、
前記提示装置のそれぞれを利用するユーザの注視点重心および顔方向ベクトルをもとに、前記提示装置のそれぞれについて当該提示装置による前記提示候補情報の提示の優先度を示す順位情報を閲覧者に対する閲覧のしやすさの度合いに基づいて付与する装置順位付与手段、および
前記情報順位付与手段により付与された順位が高い提示候補情報が前記装置順位付与手段により付与された順位の高い提示装置により提示されるように、前記提示候補情報のそれぞれについて当該情報を提示する提示装置を割り当てる割り当て手段
として機能させるための情報自動編成提示処理プログラム。
【発明の詳細な説明】
【技術分野】
【０００１】
本発明は、ユーザの状態に応じて作業や会話で利用される情報を推測する機能を有する情報自動編成提示装置および情報自動編成提示処理プログラムに関する。
【背景技術】
【０００２】
従来、例えば、特許文献１に開示されるように、ユーザの動作や発話などの状態変化に応じて、その行動に関連する画像や情報を動的に検索して順次提示していくシステムや会話に沿ったWebページを提示するシステムがある。これらのシステムは、ユーザが情報を求める情報を最適なタイミングで提示するシステムである。
【０００３】
【特許文献１】特開２００４−３４１６７２号公報
【発明の開示】
【発明が解決しようとする課題】
【０００４】
前述した従来技術では、発話などのトリガーを利用して適切な情報を提示することを目指していた。しかし、情報が提示されるタイミングに関して人間の主観的な感覚を推測することは難しい。また、少しのずれによってユーザは違和感を持つため、人間が主観的に満足する提示を行なうことは難しかった。
【０００５】
その対処方法として、複数の情報を同時に並べて提示するシステムが考えられるが、同時に提示する情報の数を増やすと、ユーザの主観的な感覚の求める情報が出る確率を高くすることができる一方で、情報が多すぎてユーザはどの情報が主観的な感覚にあう情報であるのかを探す行為にストレスを感じてしまう問題が生ずる。
【０００６】
そこで、本発明の目的は、ユーザの状況に応じて当該の作業や会話の支援に適した情報を適宜提示することが可能になる情報自動編成提示装置および情報自動編成提示処理プログラムを提供することにある。
【課題を解決するための手段】
【０００７】
すなわち、本発明に係わる情報自動編成提示装置は、提示候補となる提示候補情報を取得する取得手段と、取得手段により取得した提示候補情報の特徴情報を生成する生成手段と、生成手段により生成した特徴情報を取得した提示候補情報ごとに記憶する記憶手段と、新たな生成情報の特徴情報を認識する認識手段と、認識手段による認識結果および記憶手段に記憶される特徴情報をもとに、記憶手段に記憶される特徴情報に対応する提示候補情報のそれぞれに新たな生成情報に関連する情報としての提示の優先度を示す順位情報を付与する情報順位付与手段と、提示候補情報を提示するための複数種類の提示装置と、提示装置のそれぞれを利用するユーザの注視点重心および顔方向ベクトルをもとに、提示装置のそれぞれについて当該提示装置による提示候補情報の提示の優先度を示す順位情報を閲覧者に対する閲覧のしやすさの度合いに基づいて付与する装置順位付与手段と、情報順位付与手段により付与された順位が高い提示候補情報が装置順位付与手段により付与された順位の高い提示装置により提示されるように、提示候補情報のそれぞれについて当該情報を提示する提示装置を割り当てる割り当て手段とを備えたことを特徴とする。
【発明の効果】
【０００８】
本発明によれば、ユーザの状況に応じて当該の作業や会話の支援に適した情報を適宜提示することができる。
【発明を実施するための最良の形態】
【０００９】
以下図面により本発明の実施形態について説明する。  
図１は、本発明の実施形態における情報自動編成提示装置の構成例を示すブロック図である。  
図１に示すように、本発明の実施形態における情報自動編成提示装置は、装置全体の処理動作を司る制御部１、キーボードやマウスなどの入力装置２、複数種類の提示装置３、記憶装置４、検出部５、メタデータ生成部６、データランキング処理部７、提示装置ランキング管理部８、提示処理部９および演算処理部１０を備え、それぞれがバス１１を介して相互に接続される。
【００１０】
提示装置３とは情報を提示可能なあらゆる装置が該当し、例えば一般的なディスプレイ、街頭に設置される大画面ディスプレイ、手元に持つ携帯デバイスのディスプレイ、プロジェクタによって壁面や床面、身体に投影されるときの投影面など、動的に情報を提示可能な面などが挙げられる。
【００１１】
記憶装置４は、例えばハードディスクドライブや不揮発性メモリなどの記憶媒体であり、検出部５、メタデータ生成部６、データランキング処理部７、提示装置ランキング管理部８、提示処理部９および演算処理部１０による処理動作のためのプログラムを記憶する他、メタデータ記憶部４１、検出データ記憶部４２、データランキング記憶部４３および提示装置ランキング記憶部４４を有する。
【００１２】
検出部５は、ユーザが作成した文書情報や当該ユーザが発した発話情報などを検出する。  
メタデータ生成部６は、検出部５により検出した情報の特徴を表す情報であるメタデータを生成する。
記憶装置４のメタデータ記憶部４１は、メタデータ生成部６により生成したメタデータを生成元である情報ごとに記憶する。また、記憶装置４の検出データ記憶部４２は、検出部５により新たに検出した情報および当該情報の特徴情報を記憶する。
【００１３】
提示装置ランキング管理部８は、複数種類の提示装置３のそれぞれについて、当該提示装置３による情報提示の優先度の順位を付与することで提示装置ランキングを生成し、当該順位に関する情報を提示装置ランキング記憶部４４に記憶する。提示装置３による情報提示の優先度の順位とは、現状のユーザに対する、各提示装置３についての閲覧しやすい度合いに相当する。
【００１４】
データランキング処理部７は、検出部５により新たに検出した情報についてメタデータ生成部６により生成した特徴情報、およびメタデータ記憶部４１に記憶される情報をもとに、メタデータ記憶部４１に記憶されるメタデータ生成元のファイルのそれぞれについて、新たな生成情報に関連するデータとしてのユーザへの提示の優先度の順位を付与し、当該順位に関する情報をデータランキング記憶部４３に記憶する。
【００１５】
また、データランキング処理部７は、メタデータ記憶部４１、検出データ記憶部４２、データランキング記憶部４３および提示装置ランキング記憶部４４に記憶される情報をもとに、優先度の順位が高いメタデータの生成元のファイルが優先度の順位の高い提示装置３により提示されるように、メタデータの生成元のファイルのそれぞれについて、当該情報の提示先とする提示装置３の種別を決定する割り当て処理を行なう。
【００１６】
また、提示装置ランキング管理部８やデータランキング処理部７による順位の付与処理のタイミングは、新しいユーザが会話の場に参加したタイミング、ユーザが会話の場から退出したタイミング、顔方向ベクトル平均がランキング決定時の顔方向ベクトル平均に対して135度以上離れている状態が30秒継続したタイミングなどが挙げられる。  
また、データランキング処理部７は、上位５位以内のランキングを変更せずに、下位6位以下の情報ランキングを動的に変更することで、各提示装置３について提示対象の情報を動的にさせるなど、ランキングの高低に応じて別のアルゴリズムを適応する方法を用いてもよい。
【００１７】
提示処理部９は、メタデータの生成元のファイルのそれぞれを、当該情報についてデータランキング処理部７により提示先として決定した提示装置３に出力して提示させる。
図２は、本発明の実施形態における情報自動編成提示装置による情報入力からメタデータ生成までの処理過程の一例を示す図である。  
図２に示すように、ユーザがキーボードを操作して電子メール用アプリケーションを用いて電子メールのファイルを作成した場合、検出部５は電子メール用アプリケーションを介して電子メールのファイル中の文章を取得し、宛先、タイムスタンプ、タイトルおよび本文などを抽出する。
【００１８】
さらに、メタデータ生成部６は、抽出済みのタイトルや本文の形態素解析を行ない、当該タイトルや本文に含まれる単語群の種類、出現頻度などを生成して、当該情報、宛先、タイムスタンプ、タイトルなどを作成済みの電子メールのファイルのメタデータとする。メタデータ生成部６は、生成したメタデータを作成済みのファイルと関連付けてメタデータ記憶部４１に記憶する。当該メタデータの生成元のファイル自体は記憶装置４に記憶される。また、メタデータ生成部６による形態素解析モジュールとしては例えばJTAG2004が挙げられる。
【００１９】
また、図２に示すように、ユーザがキーボードを操作して資料作成アプリケーションを用いて発表用の資料のファイルを作成した場合、検出部５は、資料作成アプリケーションを介して作成資料のファイル中の文章を取得し、作成者、編集者、ファイル作成日時であるタイムスタンプ、タイトルなどを抽出する。
【００２０】
この場合、メタデータ生成部６は、抽出済みのタイトルや本文の形態素解析処理を行ない、当該ファイル名や本文に含まれる単語の種類と出現頻度のデータを生成して、当該データおよび前述した作成者、編集者、タイムスタンプ、更新日時、更新回数、ファイル形式、タイトルなどを作成資料のファイルのメタデータとし、当該メタデータを作成済みのファイルと関連付けてメタデータ記憶部４１に記憶する。
【００２１】
また、図２に示すように、ユーザがカメラを操作して撮影を行った場合、検出部５は、撮影により生成された画像ファイルを解析して、作成者、ファイル作成日時であるタイムスタンプ、タイトルなどを抽出する。
また、図２に示すように、ユーザが手書き操作によりタッチパネル操作を行った場合、検出部５は、作成者、ファイル作成日時であるタイムスタンプ、タイトルなどを抽出する。
【００２２】
また、図２に示すように、ユーザが発話した場合、検出部５は、図示しないマイクロフォンを介してユーザの発話情報を取得して当該発話情報の音声ファイルの作成を開始するとともに、当該発話情報の音声認識処理を行なうことで、発話者、対話者、録音日時であるタイムスタンプ、発話箇所である会議室の名称、発話内容の文章を抽出する。
【００２３】
また、検出部５は、図示しない撮影装置により撮影された映像を認識して所定半径以内に複数のユーザがいるか否かを判別することで、一つの会話や会議の区切りがなされたことが認められる場合には、音声ファイルの作成を終了する。
この場合、メタデータ生成部６は、抽出済みの発話内容の文章の形態素解析処理を行ない、発話内容に含まれる単語の種類と出現頻度のデータを生成して、これらのデータおよび前述した発話者、対話者、タイムスタンプ、会議室の名称および作成した音声ファイルのファイル名を発話情報の音声ファイルのメタデータとし、当該メタデータを作成済みのファイルと関連付けてメタデータ記憶部４１に記憶する。
【００２４】
また、前述したように、文章を含むファイルが作成された場合、検出部５は、ファイル中で利用されている単語のうち、ニュース報道などで時世を反映して利用されている単語と一致する単語や、丁寧語かそうでないか、などの助詞の利用方法の違いを示す情報を当該ファイルのメタデータとしてもよい。
【００２５】
図３は、本発明の実施形態における情報自動編成提示装置の記憶装置に記憶されるメタデータの第１の構成例を表形式で示す図である。図４は、本発明の実施形態における情報自動編成提示装置の記憶装置に記憶されるメタデータの第２の構成例を表形式で示す図である。図５は、本発明の実施形態における情報自動編成提示装置の記憶装置に記憶されるメタデータの第３の構成例を表形式で示す図である。図６は、本発明の実施形態における情報自動編成提示装置の記憶装置に記憶されるメタデータの第４の構成例を表形式で示す図である。図７は、本発明の実施形態における情報自動編成提示装置の記憶装置に記憶されるメタデータの第５の構成例を表形式で示す図である。  
図３に示した構造のメタデータは電子メールの作成済みファイルのメタデータであり、種別、「アプリケーション名_日付_データ番号」、宛先の「To:」、「Cc:」、「Bcc:」、タイムスタンプ、タイトル、本文テキストファイル名およびテキストの形態素解析結果でなる。
【００２６】
図４に示した構造のメタデータは作成資料のファイルのメタデータであり、種別、「アプリケーション名_日付_データ番号」、作成者、編集者、タイムスタンプ、タイトル、データファイル名およびテキストの形態素解析結果でなる。
図５に示した構造のメタデータはカメラ撮影画像のファイルのメタデータであり、種別、「アプリケーション名_日付_データ番号」、入力者、タイムスタンプおよびデータファイル名でなる。
【００２７】
図６に示した構造のメタデータはタッチパネル入力データのファイルのメタデータであり、種別、「アプリケーション名_日付_データ番号」、入力者、編集者、タイムスタンプ、会議室、データファイル名およびテキストの形態素解析結果でなる。
図７に示した構造のメタデータは発話情報のファイルのメタデータであり、種別、「アプリケーション名_日付_データ番号」、発話者、対話者、タイムスタンプ、会議室、データファイル名および発話内容の形態素解析結果でなる。
【００２８】
次に、図１に示した構成の選択式情報提示装置の動作について説明する。  
図８は、本発明の実施形態における情報自動編成提示装置による処理動作の一例を示すフローチャートである。ここでは、図３から図７に示したような構造のメタデータがメタデータ記憶部４１に記憶されるとする。  
まず、会議を行なっている複数のユーザのうち一人が新たな発話を行なった場合、検出部５はマイクロフォンを介して発話情報を入力して（ステップＳ１）、当該発話情報の音声ファイルの作成を開始するとともに、発話情報の音声認識を行なうことで、発話者、対話者、発話箇所である会議室の名称および発話内容の文章を抽出する（ステップＳ２）。  
また、検出部５は、前述したように、一つの会話や会議の区切りがなされたことが認められる場合には、音声ファイルの作成を終了する。
【００２９】
そして、メタデータ生成部６は、抽出済みの発話内容の文章を形態素解析し（ステップＳ３）、発話内容に含まれる単語の種類を示すキーワードを出現頻度に応じて並べたデータを生成して、当該データと前述したように抽出済みの発話者、対話者、発話箇所である会議室の名称とでなる、新たな発話情報のメタデータ群である検出データを作成済みの音声ファイルと関連付けて記憶装置４の検出データ記憶部４２に記憶する（ステップＳ４）。
ステップＳ１からＳ４の処理では、新たな発話がなされた場合に、発話内容の文章の形態素解析を経て、当該発話内容のメタデータ群である検出データを生成すると説明したが、これに限らず、図２に示すようにキーボード操作により新たな文書情報が生成されたり、カメラ撮影により画像情報が生成されたり、タッチパネルへの操作により新規の情報が生成されたりした場合に、当該生成された情報の検出データを生成するようにしてもよい。
【００３０】
次に、演算処理部１０は、ユーザの顔方向ベクトルおよび注視点重心を算出する（ステップＳ５）。以下、ステップＳ５の処理の詳細を説明する。
図９は、本発明の実施形態における情報自動編成提示装置の演算処理部による注視点重心及び顔方向ベクトルの演算処理の流れを示す図である。  
次に、演算処理部１０は、図示しないカメラにより撮影した映像情報を取得することで、周辺にいるユーザの肌色領域を検出する（ステップＳ１１）。そして、演算処理部１０は、記憶装置４に予め記憶される一般的な人物の様々な角度からの顔の写真が管理される顔データベースを読み出し（ステップＳ１２）、検出済みのユーザの肌色領域の情報と顔データベースとの特徴量のパターンマッチングを行ない（ステップＳ１３）、現在のユーザの顔の顔方向ベクトルを検出する。
【００３１】
演算処理部１０は、顔方向ベクトルの時系列データに対して、一定間隔ごとに過去１分間の平均値を求め、当該平均値を当該ユーザの現時点での顔方向ベクトルとする（ステップＳ１４）。
また、演算処理部１０は、各種の提示装置３に関する情報を読み出し（ステップＳ１５）、当該読み出した情報および前述したように求められた顔方向ベクトルの情報をもとに、各種の提示装置３の提示面のどの部分に注視点が存在するかを計算する（ステップＳ１６）。
【００３２】
演算処理部１０は、周辺にいるユーザが複数である場合は、注視点の情報より重心を算出して、ユーザ群の注視点重心を得る（ステップＳ１７）。  
また、演算処理部１０は、周辺にいるユーザが複数である場合は、各ユーザの顔方向ベクトルより平均ベクトルを算出することで、ユーザ群の顔方向ベクトル平均を得る（ステップＳ１８）。以後、ユーザは周辺に複数いるものとして説明を行なう。以上でステップＳ５の処理の詳細の説明を終了する。
【００３３】
次に、提示装置ランキング管理部８は、各種の提示装置３のそれぞれに対してファイルの提示の優先度の順位を付与することで提示装置ランキングを生成する（ステップＳ６）。以下、ステップＳ６の処理の詳細を説明する。
図１０は、本発明の実施形態における情報自動編成提示装置の提示装置ランキング管理部による処理動作の流れを示す図である。  
提示装置ランキング管理部８は、複数種類の提示装置３の設置形態において、提示装置３の大きさ、位置情報、設置時の提示面の姿勢情報などの情報をあらかじめ取得する。
【００３４】
提示装置３の設置形態としては、空間のほぼ全面が情報投影空間である、全方位プロジェクタや全面ディスプレイが部屋導入されている形態、空間の任意の面に情報を投影可能な首振り型プロジェクタが設置されている形態、もしくは一般的な固定型プロジェクタや据え置き型ディスプレイが設置される形態などが挙げられる。また、提示装置ランキング管理部８は、別途、提示装置３に位置センサを取り付けることにより、動的に設置時の提示面の姿勢情報を取得することも可能である。
【００３５】
そして、提示装置ランキング管理部８は、前述した提示装置３の大きさ、位置情報設置時の提示面の姿勢情報をもとに、記憶装置４に記憶される作成済みファイルの提示の対象となる提示装置３を識別する（ステップＳ２１）。
具体的には、提示装置ランキング管理部８は、前述した位置情報をもとに、該当ユーザの位置より隠蔽関係にある提示装置３を対象から除外する。また、提示装置ランキング管理部８は、対象から除外されなかった提示装置３のそれぞれについて、前述した提示面の大きさ、位置情報、姿勢情報より提示面に提示された情報が視認可能な状態で否かを識別する。視認可能な状態であるか否かは、提示装置３の解像度に比例してユーザと提示装置の距離に反比例する式より算出可能である。
【００３６】
そして、提示装置ランキング管理部８は、前述したように演算処理部１０により算出されたユーザ群の注視点重心と顔方向ベクトルとをもとに提示装置ランキングを生成する（ステップＳ２２）。
図１１は、本発明の実施形態における情報自動編成提示装置の提示装置ランキング管理部による提示装置ランキング生成方法の一例を示す図である。  
ステップＳ２２の処理の具体例を説明する。提示装置ランキング管理部８は、提示装置ランキングを、ユーザ群の注視点重心と顔方向ベクトル平均によって決定する。
【００３７】
同心球に収まる提示装置３のうち、最も注視点重心に近い装置に対して掲示装置ランキングの最も高い順序が付与される。例を挙げると、注視点重心と提示面の重心との距離が３０センチメートルである提示装置３より、距離が１０センチメートルである提示装置３の方が優先度の順位は高い。
【００３８】
また、提示装置３の提示面の法線ベクトルがユーザ群の顔方向ベクトル平均に最も近い面の方が優先度の順位は高い。例を挙げると、法線ベクトルと顔方向ベクトル平均の差が１０度である提示装置３より、差が５度である提示装置３の方が付与される優先度の順位は高い。
【００３９】
提示装置ランキング管理部８は、当該提示装置ランキングの順位が付された各提示装置３の識別情報を提示装置ランキング記憶部４４に記憶する。以上でステップＳ６の処理の詳細の説明を終了する。
次に、データランキング処理部７は、作成済みデータについてのデータランキングの生成を経て、記憶装置４に記憶される作成済みファイルの提示先の提示装置を決定する（ステップＳ７）。以下、ステップＳ７の処理の詳細を説明する。  
図１２は、本発明の実施形態における情報自動編成提示装置のデータランキング処理部による処理動作の流れを示す図である。  
データランキング処理部７は、まず、ステップＳ４の処理により生成された検出データを検出データ記憶部４２から取得し（ステップＳ３１）、当該検出データを検索キーとして、作成済みファイルのメタデータをメタデータ記憶部４１より検索する（ステップＳ３２）。
【００４０】
データランキング処理部７は、メタデータ記憶部４１に記憶されるメタデータに関わる作成済みファイルのそれぞれについて、当該ファイルのメタデータと検出データ中のキーワードを含む各種情報との一致率を計算し、当該一致率の高いファイルに情報提示の優先度の順位を付与することで、作成済みファイルを優先度の高低にしたがって序列化したデータランキングを生成し、当該データランキングの情報をデータランキング記憶部４３に記憶する（ステップＳ３３）。
【００４１】
そして、データランキング処理部７は、提示装置ランキング管理部８により生成済みの提示装置ランキングを提示装置ランキング記憶部４４から取得し（ステップＳ３４）、作成済みのファイルのそれぞれについて、提示対象の提示装置３の種別を決定する（ステップＳ３５）。具体的には、データランキング処理部７により一番高い順位が付与された作成済みファイルの提示先は提示装置ランキング管理部８により一番高い順位が付与された提示装置３となり、データランキング処理部７により２番目に高い順位が付与された作成済みファイルの提示先は提示装置ランキング管理部８により２番目に高い順位が付与された提示装置３となる。以下、データランキング処理部７により順位が付与された作成済みファイルは、提示装置ランキング管理部８により同じ順位が付与された提示装置３となる。以上でステップＳ７の処理の詳細の説明を終了する。
【００４２】
そして、提示処理部９は、ステップＳ３５による処理結果をもとに、作成済みのファイルのそれぞれを記憶装置４から読み出して、提示対象とされた提示装置３へ提示させる（ステップＳ８）。そして、提示処理部９は、ステップＳ４の処理で記憶装置４の検出データ記憶部４２に記憶された検出データであるメタデータ群をメタデータ記憶部４１にも記憶する。これにより、新たな情報生成がさらになされた場合の提示処理部９による処理の精度が向上する。
以上のように、本発明の実施形態における情報自動編成提示装置では、ユーザにより作成されたファイル、つまり後の提示候補となるファイルの特徴情報を記憶しておき、新たな情報が作成された場合に、当該生成され特徴情報を生成した上で、提示候補ファイルを閲覧するユーザの顔の顔方向ベクトルや注視点重心をもとに各提示装置３について提示先としての優先度の順位を付与し、各種の提示候補ファイルのそれぞれについて提示の優先度の順位を付与し、これらの情報をもとに提示候補のファイルのそれぞれについて提示対象の提示装置３の種別を決定するので、ユーザの状態をもとに動的な情報提示を行なうことができ、多量の情報を直感的に閲覧することができ、スムーズな共同作業や会話を行なうことができる。よって、効果多量の情報を、複数のユーザで直感的に閲覧することができる。これにより、コンピュータが得意とする多量の情報を自動的に処理する能力を生かして人間の創造活動を支援することができる。
【００４３】
以上説明した実施形態では、提示装置ランキング管理部８により動的に優先度の順位を各提示装置３に付与すると説明したが、これに限らず、入力装置２への操作により、予め当該提示装置３の設置場所の特性に適合した固有のランキングを付与したり、利用するユーザグループの種別に応じて固定のランキングを付与したりするようにしてもよい。
【００４４】
また、入力装置２への操作により、提示装置３に提示される情報を加工したり、提示装置３間で提示対象の情報を移動させたりすることが可能である。これにより、ユーザの意向をふまえた情報提示を行なうことができる。
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４５】
【図１】本発明の実施形態における情報自動編成提示装置の構成例を示すブロック図。
【図２】本発明の実施形態における情報自動編成提示装置による情報入力からメタデータ生成までの処理過程の一例を示す図。
【図３】本発明の実施形態における情報自動編成提示装置の記憶装置に記憶されるメタデータの第１の構成例を表形式で示す図。
【図４】本発明の実施形態における情報自動編成提示装置の記憶装置に記憶されるメタデータの第２の構成例を表形式で示す図。
【図５】本発明の実施形態における情報自動編成提示装置の記憶装置に記憶されるメタデータの第３の構成例を表形式で示す図。
【図６】本発明の実施形態における情報自動編成提示装置の記憶装置に記憶されるメタデータの第４の構成例を表形式で示す図。
【図７】本発明の実施形態における情報自動編成提示装置の記憶装置に記憶されるメタデータの第５の構成例を表形式で示す図。
【図８】本発明の実施形態における情報自動編成提示装置による処理動作の一例を示すフローチャート。
【図９】本発明の実施形態における情報自動編成提示装置の演算処理部による注視点重心及び顔方向ベクトルの演算処理の流れを示す図。
【図１０】本発明の実施形態における情報自動編成提示装置の提示装置ランキング管理部による処理動作の流れを示す図。
【図１１】本発明の実施形態における情報自動編成提示装置の提示装置ランキング管理部による提示装置ランキング生成方法の一例を示す図。
【図１２】本発明の実施形態における情報自動編成提示装置のデータランキング処理部による処理動作の流れを示す図。
【符号の説明】
【００４６】
１…制御部、２…入力装置、３…表示装置、４…記憶装置、５…検出部、６…メタデータ生成部、７…データランキング処理部、８…提示装置ランキング管理部、９…提示処理部、１０…演算処理部、１１…バス、４１…メタデータ記憶部、４２…検出データ記憶部、４３…データランキング記憶部、４４…提示装置ランキング記憶部。
【図１】
0005244460.tif 000002
【図２】
0005244460.tif 000003
【図３】
0005244460.tif 000004
【図４】
0005244460.tif 000005
【図５】
0005244460.tif 000006
【図６】
0005244460.tif 000007
【図７】
0005244460.tif 000008
【図８】
0005244460.tif 000009
【図９】
0005244460.tif 000010
【図１０】
0005244460.tif 000011
【図１１】
0005244460.tif 000012
【図１２】
0005244460.tif 000013